(57)【要約】  本開示は無線通信用の装置と方法、基地局及び通信システムにおけるユーザー機器側の装置を提供する。無線通信用の装置は、当該装置の管理している複数のユーザー機器の伝送要求に応じて、複数のユーザー機器の属しているユーザー機器クラスタに基づいて、当該複数のユーザー機器が同一の物理伝送リソースを多重化できるかどうかを判断し、判断結果により、当該複数のユーザー機器のために相応している物理伝送リソースをスケジューリングするように配置されている一つ又は複数のスケジューリングユニットと、一つ又は複数のスケジューリングユニットによるリソーススケジューリングに基づいて、リソーススケジューリング情報を含む下りリンク制御情報を、当該複数のユーザー機器に使用するように生成するように配置されているシグナリング生成ユニットとを含み、ユーザー機器はＤ２Ｄユーザー機器ペアとハニカムユーザー機器とを含み、当該複数のユーザー機器は、地理的位置に基づいて、少なくとも一つのユーザー機器クラスタに予め区分される。【選択図】図１
2018510571.tif 000002
【特許請求の範囲】
【請求項１】
無線通信用の装置であって、
前記装置の管理している複数のユーザー機器の伝送ニーズに応じて、前記複数のユーザー機器の属しているユーザー機器クラスタに基づいて、前記複数のユーザー機器が同一の物理伝送リソースを多重化できるかどうかを判断し、判断結果により、前記複数のユーザー機器のために相応している物理伝送リソースをスケジューリングするように配置されている一つ又は複数のスケジューリングユニットと、
前記一つ又は複数のスケジューリングユニットによるリソーススケジューリングに基づいて、リソーススケジューリング情報を含む下りリンク制御情報を、前記複数のユーザー機器に用いるように生成するように配置されているシグナリング生成ユニットとを含み、
前記ユーザー機器がＤ２Ｄユーザー機器ペアとハニカムユーザー機器とを含み、前記複数のユーザー機器が、地理的位置に基づいて少なくとも一つのユーザー機器クラスタに予め割り当てられている、無線通信用の装置。
【請求項２】
前記リソーススケジューリングは物理リソースブロックの割当を含み、
前記一つ又は複数のスケジューリングユニットは、前記複数のユーザー機器のうち少なくとも一部のユーザー機器のために同一の物理リソースブロックをスケジューリングし、前記シグナリング生成ユニットは、さらに、同一の物理リソースブロックを多重化するユーザー機器のために同一の下りリンク制御情報を生成し同一の物理下りリンク制御チャネルＰＤＣＣＨリソースにマッピングするように配置されている請求項１に記載の装置。
【請求項３】
前記シグナリング生成ユニットは、さらに、同一の物理リソースブロックを多重化するＤ２Ｄユーザー機器ペアのために同一のＤＰ−ＲＮＴＩを配置し、前記ＤＰ−ＲＮＴＩを使用して前記下りリンク制御情報にスクランブルをかけるように配置されている請求項２に記載の装置。
【請求項４】
ハニカムユーザー機器とＤ２Ｄユーザー機器ペアとがリソースブロックを多重化する場合に、前記シグナリング生成ユニットは、当該ハニカムユーザー機器のＣ−ＲＮＴＩと同一になるように前記ＤＰ−ＲＮＴＩを配置する請求項３に記載の装置。
【請求項５】
前記ユーザー機器の一部へ当該ユーザー機器のために配置されるＤＰ−ＲＮＴＩの指令を送信するように配置されている送受信ユニットをさらに含む請求項３に記載の装置。
【請求項６】
前記シグナリング生成ユニットは、さらに、相応しているユーザー機器用の、当該ユーザー機器のために配置されるＤＰ−ＲＮＴＩの指令を含むＲＲＣシグナリングを生成するように配置されている請求項５に記載の装置。
【請求項７】
前記ユーザー機器にサービスしている基地局アンテナのカバー範囲を、地理的位置に応じて複数の領域に区分し、それぞれの領域におけるユーザー機器を一つのユーザー機器クラスタとするように配置されている区分ユニットをさらに含む請求項１に記載の装置。
【請求項８】
前記一つ又は複数のスケジューリングユニットは、さらに、
二つのＤ２Ｄユーザー機器ペア又はＤ２Ｄユーザー機器ペアとハニカムユーザー機器とが、二つの異なる領域に位置している場合に、さらに当該二つのＤ２Ｄユーザー機器ペア間の距離又はＤ２Ｄユーザー機器ペアとハニカムユーザー機器との距離に基づいて、その両者が同一の物理伝送リソースを多重化できるかどうかを判断するように配置されている請求項７に記載の装置。
【請求項９】
前記区分ユニットは、ビームフォーミングが行われている場合に、同一のビームカバーにおけるユーザー機器を一つのユーザー機器クラスタに区分するように配置されている請求項７に記載の装置。
【請求項１０】
前記区分ユニットは、前記カバー範囲内の同一のユーザー機器から同期信号及び制御シグナリングを受信する、前記カバー範囲以外に位置しているユーザー機器と、前記カバー範囲内の当該ユーザー機器とを、一つのユーザー機器クラスタに区分するように配置されている請求項７に記載の装置。
【請求項１１】
前記複数のユーザー機器からの物理伝送リソースの使用要求を受信し、前記複数のユーザー機器へ前記下りリンク制御情報を送信するように配置されている送受信ユニットをさらに含む請求項１に記載の装置。
【請求項１２】
前記一つ又は複数のスケジューリングユニットは、
前記要求を受信したユーザー機器を、通信優先度に従ってソートするように配置されているソートモジュールと、
同一の物理伝送リソースを多重化できるユーザー機器を示す各ユーザー機器リストを生成するように配置されているユーザー機器リスト生成モジュールと、
利用可能な物理伝送リソースのそれぞれを、生成された各ユーザー機器リストにおけるユーザー機器にそれぞれ割当てるように配置されている割当モジュールとを含み、
ユーザー機器リストにおいて、ユーザー機器が記入される順序は前記優先度の順序に従う請求項１１に記載の装置。
【請求項１３】
前記一つ又は複数のスケジューリングユニットは、さらに、
利用可能な物理伝送リソースごとに設置されるタイマーを含み、前記タイマーがオーバーフローすると、前記ユーザー機器リスト生成モジュールが、相応しているユーザー機器リストの生成を停止させ、前記割当モジュールが当該利用可能な物理伝送リソースを当該相応しているユーザー機器リストにおけるユーザー機器に割当てる請求項１２に記載の装置。
【請求項１４】
無線通信用の方法であって、
複数のユーザー機器の伝送ニーズに応じて、前記複数のユーザー機器の属しているユーザー機器クラスタに基づいて、前記複数のユーザー機器が同一の物理伝送リソースを多重化できるかどうかを判断し、
判断結果により、前記複数のユーザー機器のために相応している物理伝送リソースをスケジューリングし、
リソーススケジューリングに基づいて、リソーススケジューリング情報を含む下りリンク制御情報を、前記複数のユーザー機器に用いるように生成することを含み、
前記ユーザー機器はＤ２Ｄユーザー機器ペアとハニカムユーザー機器とを含み、前記複数のユーザー機器は、地理的位置に基づいて少なくとも一つのユーザー機器クラスタに予め区分される方法。
【請求項１５】
請求項１−１３のいずれか一項に記載の装置を含む基地局。
【請求項１６】
通信システムにおけるユーザー機器側の装置であって、
基地局からの制御シグナリングを解析して前記装置用のＤＰ−ＲＮＴＩを確定し、
前記装置用の下りリンク制御情報を検出して前記基地局が当該装置のためにスケジューリングする物理伝送リソースを確定するように、前記ＤＰ−ＲＮＴＩを使用して前記基地局からの物理下りリンク制御チャネルＰＤＣＣＨをブラインド検出する、
ように配置される一つ又は複数のプロセッサを含み、
前記物理伝送リソースは、前記ユーザー機器と他の一つのユーザー機器とのＤ２Ｄ通信に用いられ、前記ユーザー機器は、前記基地局の管理している少なくとも一つの他のＤ２Ｄユーザー機器と前記ＤＰ−ＲＮＴＩを共用する、装置。
【発明の詳細な説明】
【技術分野】
【０００１】
本発明の実施例は、全体として、無線通信分野に関し、具体的に、無線通信においてユーザー機器の物理伝送リソーススケジューリングに関し、より具体的に、本発明の実施例は、無線通信の装置と方法、当該装置を含む基地局及びユーザー機器側の装置に関する。
【背景技術】
【０００２】
無線通信システムでは、Ｄ２Ｄユーザー機器ペアとハニカムユーザー機器とが存在している場合に、Ｄ２Ｄユーザー機器がハニカムユーザー機器の物理伝送リソースを多重化して、その両者の間に干渉が発生してしまう。同様に、同一の物理伝送リソースを使用しているＤ２Ｄユーザー機器ペアの間にも相互に干渉発生してしまう。
【０００３】
従って、リソース利用効率を向上させるとともに、できるだけ上記二種の干渉を低減させる必要がある。
【発明の概要】
【発明が解決しようとする課題】
【０００４】
以下に、本発明に関する簡単な概説を説明して、本発明のある局面に関する基本的理解を提供する。この概説が本発明に関する網羅的な概説ではないと理解すべきである。それは、本発明の肝心又は重要部分を意図的特定するものではなく、本発明の範囲を意図的に限定するものでもない。その目的は、簡素化の形式である概念を提供して、後論述するより詳しい技術の前述とするものである。
【課題を解決するための手段】
【０００５】
本願の一局面によれば、無線通信用の装置を提供し、当該装置の管理している複数のユーザー機器の伝送ニーズに応じて、複数のユーザー機器の属しているユーザー機器クラスタに基づいて該複数のユーザー機器が同一の物理伝送リソースを多重化できるかどうかを判断し、判断結果により、該複数のユーザー機器のために相応している物理伝送リソースをスケジューリングするように配置されている一つ又は複数のスケジューリングユニットと、一つ又は複数のスケジューリングユニットによるリソーススケジューリングに基づいて、リソーススケジューリング情報を含む下りリンク制御情報を、複数のユーザー機器に用いるように生成するように配置されているシグナリング生成ユニットとを含み、ユーザー機器がＤ２Ｄユーザー機器ペアとハニカムユーザー機器とを含み、当該複数のユーザー機器が、地理的位置に基づいて、少なくとも一つのユーザー機器クラスタに予め区分される。
【０００６】
本願の他の一局面によれば、無線通信用の方法を提供し、複数のユーザー機器の伝送ニーズに応じて、当該複数のユーザー機器の属しているユーザー機器クラスタに基づいて当該複数のユーザー機器が同一の物理伝送リソースを多重化できるかどうかを判断し、判断結果により、当該複数のユーザー機器のために相応している物理伝送リソースをスケジューリングし、リソーススケジューリングに基づいて、リソーススケジューリング情報を含む下りリンク制御情報を、複数のユーザー機器に用いるように生成することを含み、ユーザー機器がＤ２Ｄユーザー機器ペアとハニカムユーザー機器とを含み、当該複数のユーザー機器が、地理的位置に基づいて、少なくとも一つのユーザー機器クラスタに予め区分される。
【０００７】
本願の他の一局面によれば、上記装置を含む基地局を提供する。
【０００８】
本願の他の一局面によれば、通信システムにおけるユーザー機器側の装置を提供し、基地局からの制御シグナリングを解析して当該装置用のＤＰ−ＲＮＴＩを確定し、当該装置用の下りリンク制御情報を検出して基地局が当該装置のためにスケジューリングする物理伝送リソースを確定するように、当該ＤＰ−ＲＮＴＩを使用して基地局からの物理下りリンク制御チャネルＰＤＣＣＨをブラインド検出する、ように配置されている一つ又は複数のプロセッサを含み、当該物理伝送リソースが当該ユーザー機器と他の一つのユーザー機器とのＤ２Ｄ通信に用いられ、ユーザー機器は、基地局の管理している少なくとも一つの他のＤ２Ｄユーザー機器とＤＰ−ＲＮＴＩを共用する。
【０００９】
本発明の他の局面によれば、上記無線通信用の方法を実現するためのコンピュータプログラムコードとコンピュータプログラム製品、及び当該上記無線通信用の方法を実現するためのコンピュータプログラムコードが記録されているコンピュータ読み取り可能記憶媒体をさらに提供する。
【００１０】
本発明の装置と方法によれば、Ｄ２Ｄユーザー機器ペア及びハニカムユーザー機器のために物理伝送リソースを統括的にスケジューリングすることで、リソース利用効率を向上させ技術的効果と、干渉を低減させる技術的効果との少なくとも一つを実現することができる。
【００１１】
本開示の上記および他の利点は、以下図面を参照しながら本発明の好適な実施例の詳細な記述により、より明らかになる。
【図面の簡単な説明】
【００１２】
さらに、本発明の上記及び他の利点や特徴を説明するために、以下に図面を参照しながら本発明の具体的実施形態についてより詳細な説明を行う。前記図面は以下の詳細説明とともに本明細書に含まれ且つ本明細書の一部を形成する。同じ機能及び構造を有する部品は同一の符号で示す。理解すべきことは、これらの図面は本発明の典型例を描いてるものに過ぎず、本発明の範囲を限定するものではない。図面において、
【図１】本出願の一実施例による、無線通信用の装置の構成ブロック図を示す。
【図２】Ｄ２Ｄユーザー機器ペアを単位としてリソース割当を行う例の模式図を示す。
【図３】伝統の場合に、ＰＤＣＣＨと本願の一配置を採用するＰＤＣＣＨとの比較の図を示す。
【図４】伝統の場合に、ＰＤＣＣＨと本願の他の一配置を採用するＰＤＣＣＨとの比較の図を示す。
【図５】本出願の一実施例による、一つ又は複数のスケジューリングユニットの構成ブロック図を示す。
【図６】各ユーザー機器クラスタのうち、要求を発行するユーザー機器の例を示す図である。
【図７】生成されたユーザー機器リストの例を示す図である。
【図８】本願の他の一実施例による、無線通信用の装置の構成ブロック図を示す。
【図９】カバー領域区分の一例の図を示す。
【図１０】Ｄ２Ｄユーザー機器ペアにおける二つのＤ２Ｄユーザー機器がそれぞれ異なるクラスタにある場合の模式図を示す。
【図１１】生成されたユーザー機器リストの他の一例の図を示す。
【図１２】リソース割当結果の例を示す図である。
【図１３】エッジ領域と中心領域との区分を示す模式図である。
【図１４】回転によりユーザー機器が同一の物理伝送リソースを多重化するかどうかを判断する模式図を示す。
【図１５】ビームフォーミングが行われる場合のクラスタの区分を示す模式図である。
【図１６】カバー範囲以外のユーザー機器のクラスタの区分を示す模式図である
【図１７】本出願の一実施例による、通信システムにおけるユーザー機器側の装置の一つの具体的例の構成ブロック図を示す。
【図１８】本出願の一実施例による、無線通信用の方法のフローチャートを示す。
【図１９】図１８におけるステップＳ１４のサブステップのフローチャートを示す。
【図２０】本出願の一実施例による、通信システムのうちユーザー機器側の方法を示すフローチャートである。
【図２１】本発明の実施例による方法及び／又は装置及び／又はシステムを実現できる汎用コンピュータの例示的構成を示すブロック図である。
【図２２】本開示の技術を応用している進化型ノードＢ（ｅＮＢ）の例示的配置の例を示すブロック図である。
【図２３】ユーザー機器の応用例の例示的配置の例を示すブロック図である。
【００１３】
以下、図面に基づいて、本発明の例示的な実施例を記述する。明瞭や簡明のために、明細書において実際の実施形態の全部が記述されていない。但し、理解すべきなのは、開発者の具体的な目標を達成するために、いかなるこれらの実際の実施例を開発する過程で実施形態に特定する決定をしなければならず、例えば、システム及び業務に関連する制限条件を満足し、且つこれら制限条件は、実施形態によって変わる。加えて、理解すべきなのは、開発仕事が複雑かつ時間が掛かるものであり得るが、本開示内容の利益を享受する当業者にとって、このような開発仕事はきまり通り行う任務に過ぎない。
【００１４】
ここで、さらに説明する必要がある点は、不必要な細部によって本発明をぼかすことを避けるために、図面において、少なくとも本発明の方案に緊密に関連するデバイス構成及び／又は処理ステップのみを示し、本発明に関係がない他の内容を省略した。
【００１５】
＜第１の実施例＞
図１は、本出願の一実施例による、無線通信用の装置１００の構成ブロック図を示し、装置１００は、当該装置の管理している複数のユーザー機器の伝送ニーズに応じて、複数のユーザー機器の属しているユーザー機器クラスタに基づいて、当該複数のユーザー機器が同一の物理伝送リソースを多重化できるかどうかを判断し、判断結果により、当該複数のユーザー機器のために相応している物理伝送リソースをスケジューリングするように配置されている一つ又は複数のスケジューリングユニット１０１と、一つ又は複数のスケジューリングユニットによるリソーススケジューリングに基づいて、リソーススケジューリング情報を含む下りリンク制御情報を、当該複数のユーザー機器に用いるように生成するように配置されているシグナリング生成ユニット１０２とを含み、ユーザー機器はＤ２Ｄユーザー機器ペアとハニカムユーザー機器とを含み、当該複数のユーザー機器は、地理的位置に基づいて、少なくとも一つのユーザー機器クラスタに予め区分される。
【００１６】
例えば、セルラー移動通信において、装置１００は、基地局デバイス、例えばｅＮＢ又はｒｅｌ−１０における中継ノードなどであってもよい。また、ここで装置１００が基地局デバイスであることを例として示したが、これに限定せず、装置１００は、例えばＣ−ＲＡＮ（Ｃｌｏｕｄ−ＲＡＮ／Ｃｅｎｔｒａｌｉｚｅｄ−ＲＡＮ）構造における（セル概念が存在しないかもしれない）クラウドＢＢデバイス、例えばＣ−ＲＡＮスキーマにおける互いに高速に連通するＢＢＵプールのうちのいずれかのＢＢＵであってもよい。ここに記載のユーザー機器は、例えば移動端末、車両、ウェアラブルデバイスなどである。
【００１７】
本願の幾つかの例において、Ｄ２Ｄユーザー機器がいずれもユニキャスト通信であり、且つユーザー機器がＤ２Ｄ通信を確立する要求が基地局に許可された際にＤ２Ｄユーザー機器ペアとなることを仮定する。同一時刻で、一つのＤ２Ｄユーザー機器ペアのうち一つのユーザー機器のみがデータを送信する。よって、「Ｄ２Ｄユーザー機器ペア」を単位として物理伝送リソース割当（スケジューリング）を行う。図２は、Ｄ２Ｄユーザー機器ペアを単位としてリソース割当を行う例の模式図を示している。なお、丸はハニカムユーザー機器（ＣＵＥ）を代表し、ブロックはＤ２Ｄユーザー機器ペア（ＤＵＥ−Ｐ）を代表し、ｅＮＢにてそれぞれのＵＥにリソースを割当てる。
【００１８】
例えば、一つ又は複数のスケジューリングユニット１０１は、ＬＴＥ標準（３６．３００  １１  Ｓｃｈｅｄｕｌｉｎｇ  ａｎｄ  Ｒａｔｅ  Ｃｏｎｔｒｏｌ）における所定のダイナミックリソーススケジューラであってもよい。例えば、異なるダイナミックリソーススケジューラをそれぞれ採用して上りリンク伝送リソースと下りリンク伝送リソースとをスケジューリングしてもよい。
【００１９】
なお、ユーザー機器の伝送ニーズは、ユーザー機器が送信してきたスケジューリング要求（Ｓｃｈｅｄｕｌｉｎｇ  Ｒｅｑｕｅｓｔ）に応じて確定された上りリンク伝送ニーズであってもよく、基地局が自発的に確定した当該ユーザー機器の下りリンク伝送ニーズであってもよい。一つ又は複数のスケジューリングユニット１０１は、上りリンク伝送ニーズに応じて、ユーザー機器のために相応している上りリンク物理伝送リソースをスケジューリングし、及び／又は下りリンク伝送ニーズに応じて、ユーザー機器のために相応している下りリンク物理伝送リソースをスケジューリングする。相応的に、幾つかの例において、スケジューリングユニットは上りリンクスケジューリングユニットと下りリンクスケジューリングユニットとに分ける。
【００２０】
当該実施例において、ユーザー機器はＤ２Ｄユーザー機器ペアとハニカムユーザー機器との両者を含み、ユーザー機器は、地理的位置に基づいて、少なくとも一つのユーザー機器クラスタに予め区分されており、具体的な区分方式の詳細は後述する。従って、一つ又は複数のスケジューリングユニット１０１は、Ｄ２Ｄユーザー機器ペアとハニカムユーザー機器とに物理伝送リソースを統括的スケジューリングすることを実現するようになる。なお、ここでのＤ２Ｄユーザー機器はハニカムユーザー機器として作動し、基地局と例えば制御情報伝送に関するセルラー通信を行ってもよい。
【００２１】
スケジューリングを行う際に、一つ又は複数のスケジューリングユニット１０１は、まず、ユーザー機器の属しているユーザー機器クラスタに基づいて、複数のユーザー機器が同一の物理伝送リソースを多重化できるかどうかを判断し、例えば、当該判断は、できるだけユーザー機器間の相互干渉を小さくする原則に基づいてもよい。また、当該判断は、現在利用可能なリソースの数（十分に多い場合は多重化の必要ない）、データ伝送量、ＱｏＳニーズ、基地局とユーザー機器（ＵＥ）の無線リンク状況などに基づいてもよい。
【００２２】
一例において、同一のユーザー機器クラスタにおけるユーザー機器は、互いに直交している物理伝送リソースを使用し、異なるユーザー機器クラスタにおけるユーザー機器は同一の物理伝送リソースを多重化する。勿論、判断の方式はこれに限定されなく、例えばそもそも一つのクラスタにおけるＵＥを、異なるクラスタに割り当てて新たにクラスタリングした後に、同一のクラスタにおけるＵＥは同一の物理伝送リソースを多重化することができる。
【００２３】
ユーザー機器クラスタは地理的位置に基づいて予め区分されたものであるので、ユーザー機器の属しているユーザー機器クラスタに基づいて同一の物理伝送リソースを多重化できるかどうかの判断を行う際に、その地理的位置の影響を考慮できたことで、干渉を低減させることができる。また、割当の際に、ハニカムＵＥとＤ２Ｄユーザー機器ペアとの両者を統括的に考慮したので、リソース利用効率を向上させるとともに、干渉を低減させるようになる。
【００２４】
一例において、リソーススケジューリングは物理リソースブロックの割当を含み、一つ又は複数のスケジューリングユニット１０１は、複数のユーザー機器のうちの少なくとも一部のユーザー機器に同一の物理リソースブロックをスケジューリングし、シグナリング生成ユニット１０２は、さらに、同一の物理リソースブロックを多重化するユーザー機器に対して同一の下りリンク制御情報を生成して同一の物理下りリンク制御チャネルＰＤＣＣＨリソースにマッピングするように配置されている。ここで、物理リソースブロックは、例えばＬＴＥシステムにおける時間周波数リソースブロックである。
【００２５】
以上のように、例えば、一つ又は複数のスケジューリングユニット１０１は、異なるユーザー機器クラスタにおけるユーザー機器に同一の物理リソースブロックをスケジューリングすることができる。シグナリング生成ユニット１０２は、これらのユーザー機器のために下りリンク制御情報を生成して、同一のＰＤＣＣＨリソースにマッピングする。なお、これらのユーザー機器はＤ２Ｄユーザー機器ペアとハニカムユーザー機器とを含んでもよい。
【００２６】
一例として、シグナリング生成ユニット１０２は、さらに、同一の物理リソースブロックを多重化するＤ２Ｄユーザー機器ペアに同一のＤＰ−ＲＮＴＩを配置し、当該ＤＰ−ＲＮＴＩを使用して下りリンク制御情報にスクランブル（ｓｃｒａｍｂｌｅ）をかけるように配置されてもよい。例えば、シグナリング生成ユニット１０２は、複数の、上記物理リソースブロックを共有するＤ２Ｄユーザー機器ペアのために共通するＤＣＩを生成し、ＤＰ−ＲＮＴＩを利用して当該ＤＣＩの巡回冗長検査符号（ＣＲＣ）に対してスクランブル処理を行い、ＰＤＣＣＨで当該ＤＣＩを担持してそれぞれのＤ２Ｄユーザー機器ペアに送信することにより、ＰＤＣＣＨのチャネルリソースを大幅に節約するようになる。
【００２７】
なお、ハニカムユーザー機器とＤ２Ｄユーザー機器ペアとがリソースブロックを多重化することが存在する場合に、シグナリング生成ユニット１０２は、ＤＰ−ＲＮＴＩを、当該ハニカムユーザー機器のＣ−ＲＮＴＩと同一にするように配置する。このように、ハニカムユーザー機器とＤ２Ｄユーザー機器ペアとは、例えば、ＰＤＣＣＨにおけるチャネル制御情報（ＤＣＩ）を共有してもよく、割り当てられたリソーススケジューリング情報が含まれる。また、ＤＣＩには、パワー制御情報（例えばＴＰＣ情報）、ＭＣＳ方案などをさらに含んでもよい。図３は、伝統の場合のＰＤＣＣＨと、当該配置を採用するＰＤＣＣＨとの比較の図を示しており、伝統の場合と比べて、当該配置は、ＰＤＣＣＨのチャネルリソースを節約するようにすることが分かる。
【００２８】
他の一例において、ハニカムユーザー機器とＤ２Ｄユーザー機器ペアとがリソースブロックを多重化することが存在する場合であっても、シグナリング生成ユニット１０２は、ＤＰ−ＲＮＴＩを、この前にハニカムユーザー機器に割り当てられたＣ−ＲＮＴＩと異なる値に配置してもよく、ハニカムユーザー機器がＤ２Ｄユーザー機器ペアと異なるＤＣＩを読み取ることに対して、複数のＤ２Ｄユーザー機器ペアが同一のＤＣＩを読み取るように、複数のＤ２Ｄユーザー機器ペアは同一のＤＰ−ＲＮＴＩを共用する。例えば、ハニカムユーザー機器とＤ２Ｄユーザー機器ペアとは、割り当てられたリソースブロックについて同一であるが、パワー制御情報、ＭＣＳなどが異なる。図４に示すように、このような配置であっても、伝統の場合と比べて、ＰＤＣＣＨのチャネルリソースを節約することもできることが分かる。
【００２９】
また、図１の破線枠のように、装置１００は、上記ユーザー機器の一部へ当該ユーザー機器のために配置するＤＰ−ＲＮＴＩの指令を送信するように配置されている送受信ユニット１０３をさらに含むこともできる。
【００３０】
一例として、シグナリング生成ユニット１０２は、さらに、相応するユーザー機器用の、当該ユーザー機器のために配置するＤＰ−ＲＮＴＩの指令を含むＲＲＣシグナリングを生成するように配置される。送受信ユニット１０３は、ＲＲＣシグナリングによりユーザー機器のために配置されるＤＰ−ＲＮＴＩの指令を送信するように配置されている。
【００３１】
また、シグナリングを用いて当該ＤＰ−ＲＮＴＩの指令を担持してもよく、相応的に、送受信ユニット１０３は、他の方式によりユーザー機器へＤＰ−ＲＮＴＩの指令を送信してもよい。例えば、ＭＡＣ  ＣＥ（ｃｏｎｔｒｏｌ  ｅｌｅｍｅｎｔ：制御情報ビット）により当該ＤＰ−ＲＮＴＩの指令を送信してもよく、なお、一種の新しいＭＡＣ  ＣＥ：ＤＰ−ＲＮＴＩ  ＭＡＣ  ＣＥを定義してもよい。ＲＲＣ、ＭＡＣシグナリングで通知する半静的方式を除き、ＰＤＣＣＨ、例えば前回のＰＤＣＣＨによりＤＰ−ＲＮＴＩを動的に送信してもよい。又は、送受信ユニット１０３は、ブロードキャストによりＤＰ−ＲＮＴＩを通知してもよく、この際、ブロードキャスト情報には、それぞれのユーザー機器のＩＤと、対応するＤＰ−ＲＮＴＩとが含まれている。
【００３２】
ユーザー機器（即ち、Ｄ２Ｄユーザー機器ペア）の位置に予定の変化が発生すると、装置１００は、それにＤＰ−ＲＮＴＩを新たに割り当てることができる。例えば、ユーザー機器ペアの位置変化が本来所在のユーザー機器クラスタに対応する地理的位置の領域を超えた場合、シグナリング生成ユニット１０２は、当該ユーザー機器ペアのために配置する新ＤＰ−ＲＮＴＩを含む指令を生成し、送受信ユニット１０３は、当該新指令をユーザー機器ペアに送信する。また、一つ又は複数のスケジューリングユニット１０１は、当該新ＤＰ−ＲＮＴＩに応じてリソーススケジューリングを行う。
【００３３】
また、送受信ユニット１０３は、複数のユーザー機器からの、物理伝送リソース利用要求を受信し、前記複数のユーザー機器へ下りリンク制御情報を送信するように配置されてもよい。
【００３４】
例えば、送受信ユニット１０３は、ＰＵＣＣＨにおけるスケジューリング要求（Ｓｃｈｅｄｕｌｉｎｇ  Ｒｅｑｕｅｓｔ）又はＰＲＡＣＨにおけるランダムアクセス要求を受信してもよい。そして、一つ又は複数のスケジューリングユニット１０１は、受信された要求の送信元であるユーザー機器のために相応している物理伝送リソースをスケジューリングし、シグナリング生成ユニット１０２は、相応して下りリンク制御情報を生成し、送受信ユニット１０３は、当該制御情報を上記ユーザー機器に送信する。
【００３５】
また、送受信ユニット１０３は、ユーザー機器が報告する位置情報をさらに受信してもよい。又は、送受信ユニット１０３は、ユーザー機器へ、探測信号、例えばＰＲＳ位置決め参照信号を送信し、当該ユーザー機器からのフィードバック信号を受信することにより、ユーザー機器の位置を確定する。例えば、一つ又は複数のスケジューリングユニット１０２は、当該位置情報を使用してユーザー機器の属しているユーザー機器クラスタの判断を行うことで、さらに同一の物理伝送リソースを多重化できるかどうかの判断を行う。
【００３６】
以下、図５を参照して、本願の実施例による一つ又は複数のスケジューリングユニット１０１の例の構成ブロック図を記述する。図５に示すように、一つ又は複数のスケジューリングユニット１０１は、受信された要求の送信元であるユーザー機器を、通信優先度に従ってソートするように配置されているソートモジュール１０１１と、同一の物理伝送リソースを多重化できるユーザー機器を示す各ユーザー機器リストを生成するように配置されているユーザー機器リスト生成モジュール１０１２と、利用可能な物理伝送リソースのそれぞれを、生成された各ユーザー機器リストにおけるユーザー機器にそれぞれ割当てるように配置されている割当モジュール１０１３とを含み、ユーザー機器リストにおいて、ユーザー機器が記入される順序は優先度の順序に従う。
【００３７】
例えば、一つの伝送間隔（例えば一つのサブフレーム）において、Ｄ２Ｄユーザー機器ペアとハニカムユーザー機器とが装置１００へ伝送リソースを要求し、ソートモジュール１０１１はこれらのユーザー機器を、その通信優先度（例えば、ＱｏＳニーズに従って確定した優先度）に従ってソートする。ユーザー機器リスト生成モジュール１０１２がユーザー機器リストを生成し、それぞれのユーザー機器リストにおけるユーザー機器が同一の物理伝送リソースを多重化できる。優先度が高い順にユーザー機器リストにユーザー機器が記入される。例えば、利用可能な物理伝送リソースの数と等しい又はそれよりも少ないユーザー機器リストを生成してもよい。これにより、割当モジュール１０１３は、それぞれのユーザー機器リストにおけるユーザー機器に相応している利用可能な物理伝送リソースを割り当てる。
【００３８】
以下では、以下の判断基準を例として、上記それぞれのモジュールの操作の例の記述を提供し、同一のユーザー機器クラスタに位置するユーザー機器は互いに直交する物理伝送リソースを使用し、異なるユーザー機器クラスタ（以下でクラスタと略称する）に位置するユーザー機器は同一の物理伝送リソースを多重化できる。
【００３９】
例えば、図６に示すように、１２のクラスタがあることを仮定し、図６にそれぞれのクラスタのうち要求を発行するユーザー機器をそれぞれ示し、ソートモジュール１０１１は通信優先度の降順で上から下へ並ぶ。
【００４０】
ユーザー機器リスト生成モジュール１０１２は、例えば以下の操作により一つのユーザー機器リストを生成する。具体的に、まず、表にＤＵＥ−Ｐ１が記入され、ＤＵＥ−Ｐ１とＤＵＥ−Ｐ２とが異なるクラスタに位置するので、ＤＵＥ−Ｐ２を表に記入することができ、類似的に、ＤＵＥ−Ｐ３、…、ＤＵＥ−Ｐ１２も当該表に記入されてもよい。これにより、図７に示すユーザー機器リストを生成する。理解すべきなのは、これはあくまでも例であり、ユーザー機器リスト生成モジュール１０１２の操作はこれに限定されなく、さらに、他の又は付加的判断基準に基づいてユーザー機器リストの生成を行ってもよい。
【００４１】
また、図５の破線枠に示すように、一つ又は複数のスケジューリングユニット１０１は、利用可能な物理伝送リソースごとに設置されるタイマー１０１４をさらに含んでもよい。タイマー１０１４がオーバーフローすると、ユーザー機器リスト生成モジュール１０１２が、相応するユーザー機器リストの生成を停止させ、割当モジュール１０１３が、当該利用可能な物理伝送リソースを該相応するユーザー機器リストにおけるユーザー機器に割り当てる。タイマー１０１４の設置は、装置１００の待ち及び判断の時間を制限するためであり、これにより、応答速度をさらに速める。なお、異なる利用可能な物理伝送リソースについては、異なるタイマーを設定してもよい。
【００４２】
以上のように、当該実施例による装置１００は、ユーザー機器クラスタの区分に基づいてＤ２Ｄユーザー機器ペアとハニカムユーザー機器とに物理伝送リソースを統括的に割り当てることにより、干渉を低減させ、リソース利用効率を向上させ、ＰＤＣＣＨのチャネルリソースを節約するようなことの少なくとも一つを実現する。
【００４３】
＜第２の実施例＞
図８は、本願の他の一実施例による、無線通信用の装置２００の構成ブロック図を示し、装置２００は、図１に示すそれぞれのユニット以外、ユーザー機器にサービスする基地局アンテナのカバー範囲を、地理的位置に従って、複数の領域に区分して、各領域におけるユーザー機器を一つのユーザー機器クラスタとするように配置されている区分ユニット２０１を含む。
【００４４】
地理的に接近するユーザー機器の間に干渉が発生する確率は高いので、同一のユーザー機器クラスタに区分して、一つ又は複数のスケジューリングユニット１０１に例えば互いに異なる物理伝送リソースをスケジューリングさせることで、干渉の発生を低減させ、通信の品質を向上させる。
【００４５】
一例において、区分ユニット２０１は、基地局アンテナが所在の箇所を中心として、径方向の長さに従ってカバー範囲を一つ又は複数の円に区分し、それぞれの円を、角度的に一定の角度を有する若干の領域に平均に区分するように配置されている。言い換えれば、区分ユニット２０１はＬ＆θ準則に従ってカバー範囲を区分する。図９に示すように、カバー範囲を、内円と外円とに分け、内円の径方向の長さ（即ち、半径）がＬ１であり、外円の径方向の長さがＬ２であり、θ１＝θ２であり、即ち、内外円はいずれも３６０／θに平均区分され、それぞれのブロックは一つのクラスタの領域である。例えば、Ｌ１、Ｌ２、θのうちの少なくとも一つを調整することでクラスタの領域の大きさを調整し、好ましくは、Ｌ１とＬ２を調整する。また、図９に、θ１＝θ２である場合を示したが、実際の必要に応じて、それぞれのθを異なる値に取ってもよい。
【００４６】
実際の応用シーンに応じて、異なるθ値を取って、カバー領域を異なる数のクラスタに区分してもよい。好ましくは、θ∈［３６°，９０°］であり、このように区分して得られたクラスタの数は８〜２０である。例示的に、好ましくは、区分して得られた隣り合う二つの扇状の重心の距離は、同一のリソースを多重化する二ペアのＤＵＥ−Ｐ間の距離の値よりも大きくなり、当該距離は、例えばそれらの相互の干渉を閾値以下に制御することを確保することができる。θの値が大きいほど、区分するクラスタの個数が少なくなり、異なるクラスタの間に同一のリソースを多重化するユーザー機器が少なくなり、干渉が小さくなることが分かる。逆に、θの値が小さいほど、区分するクラスタの個数が多くなり、同一のリソースを多重化するユーザー機器が多くなり、システムの性能の向上が明らかになる。従って、応用シーンにおいてユーザー機器の数が多く、且つ高いリソース利用効率を実現することが望ましいと、θの値をなるべく小さくしてもよく、応用シーンにおいてユーザー機器の数が少なく、且つ干渉の大きさに敏感であると、θの値をなるべく大きくしてもよい。この図９の例において、θ＝６０°であり、全部で１２のクラスタに区分することを仮定し、以下でこれを例として説明する。
【００４７】
このように区分された領域は、一部のＤＵＥ−Ｐにおける二つのＤＵＥが異なるクラスタにあることは現れる可能性があり、図１０に示す。例えば、一つのＤＵＥ−Ｐにおける二つのＤＵＥがそれぞれクラスタ３とクラスタ９とにあることがある。これにより、一つ又は複数のスケジューリングユニット１０１は、当該ＤＵＥ−Ｐがいずれのクラスタに属するかを判断することが困難である。この場合、当該ＤＵＥに利用可能な物理伝送リソースの選択を自発に行わせてもよく、更なる判断を行ってそれをあるクラスタに区分してもよい。
【００４８】
一例において、その中の二つのＤ２Ｄユーザー機器がそれぞれ異なる領域に位置するＤ２Ｄユーザー機器ペアが所定の数よりも多い場合に、区分ユニット２０１は、さらに、その中の二つのＤ２Ｄユーザー機器がそれぞれ異なる領域に位置するＤ２Ｄユーザー機器ペアの数を減少するように、それぞれの円の径方向の長さを調節して領域の区分を調整するように配置されている。言い換えれば、領域の区分を調整することで異なる領域に位置するＤ２Ｄユーザー機器ペアの数をできるだけ減少する。
【００４９】
第２のタイマー（図示せず）はさらに設置されてもよく、上記調整を実行する時間が所定値を超えた際にオーバーフローし、上記調整を中断させる。上記調整を行った後にまだ二つのＤ２Ｄユーザー機器がそれぞれ異なる領域に位置するＤ２Ｄユーザー機器ペアが存在すると、当該Ｄ２Ｄユーザー機器ペアは利用可能な物理伝送リソースを自動的に選択する。
【００５０】
他の一例において、一つ又は複数のスケジューリングユニット１０１は、さらに、二つのＤ２Ｄユーザー機器ペア又はＤ２Ｄユーザー機器ペアとハニカムユーザー機器とが二つの異なる領域に位置する場合に、さらに、当該二つのＤ２Ｄユーザー機器ペア間の距離又は当該Ｄ２Ｄユーザー機器ペアとハニカムユーザー機器との距離に基づいて、その両者が同一の物理伝送リソースを多重化できるかどうかを判断するように配置されている。
【００５１】
具体的に、例えば、上記距離が所定の閾値よりも小さい場合に、一つ又は複数のスケジューリングユニット１０１は、当該二つのＤ２Ｄユーザー機器ペア又は当該Ｄ２Ｄユーザーペアとハニカムユーザー機器とが互いに直交するリソースを使用すると確定する。当該設置により、クラスタの境界において発生可能な強い干渉を避けることができる。
【００５２】
図６を例として、図６のクラスタ１−１２が図９のクラスタ１−１１に対応し、且つｄｉ−ｊで、ｉ番目のＤＵＥ−Ｐとｊ番目のＤＵＥ−Ｐとの距離を示し（両者が異なるクラスタにある）、Ｄｈ−ｋで、ｈ番目のＤＵＥ−Ｐとｋ番目のＣＵＥとの距離で示す（両者が異なるクラスタにある）とすると、閾値ｄＱとＤＱとをそれぞれ設定することができ、ｄｉ−ｊ＞ｄＱである場合に、ｉ番目のＤＵＥ−Ｐとｊ番目のＤＵＥ−Ｐとが同一の物理伝送リソースを多重化できると判断し、Ｄｈ−ｋ＞ＤＱの場合に、ｈ番目のＤＵＥ−Ｐとｋ番目のＣＵＥとの間に同一の物理伝送リソースを多重化できると判断する。
【００５３】
上記標準に基づいて図６のユーザー機器に対してユーザー機器リストの生成を行うと、以下の操作があってもよい。まず、ＤＵＥ−Ｐ１を表に記入してから、ｄ１−２とｄＱとを比較し、ｄ１−２＞ｄＱであると、ＤＵＥ−Ｐ２を表に記入し、さらに比較を行い、ｄ１−３＞ｄＱ且つｄ２−３＜ｄＱであると、ＤＵＥ−Ｐ１、ＤＵＥ−Ｐ２、ＤＵＥ−Ｐ３は同一の物理伝送リソースを多重化できなく、ｄ１−１５＞ｄＱ且つｄ２−１５＜ｄＱであると、ＤＵＥ−Ｐ１５を表に記入し、…、順に類推して、ｄ１−１１＞ｄＱ、ｄ２−１１＞ｄＱ、ｄ１５−１１＞ｄＱ、…、ｄ９−１１＞ｄＱであるがｄ１０−１１＜ｄＱであると、ＤＵＥ−Ｐ  １、ＤＵＥ−Ｐ２、ＤＵＥ−Ｐ１５、…、ＤＵＥ−Ｐ１０、ＤＵＥ−Ｐ１１は同一の物理伝送リソースを多重化できなく、ｄ１−２３＞ｄＱ、ｄ２−２３＞ｄＱ、ｄ１５−２３＞ｄＱ、…、ｄ９−２３＞ｄＱであるがｄ１０−２３＜ｄＱであると、ＤＵＥ−Ｐ１、ＤＵＥ−Ｐ２、ＤＵＥ−Ｐ１５、…、ＤＵＥ−Ｐ１０、ＤＵＥ−Ｐ２３は同一の物理伝送リソースを多重化できなく、Ｄ１−１１＞ＤＱ、Ｄ２−１１＞ＤＱ、Ｄ１５−１１＞ＤＱ、…、Ｄ９−１１＞ＤＱ且つＤ１０−１１＞ＤＱであると、ＤＵＥ−Ｐ１、ＤＵＥ−Ｐ２、ＤＵＥ−Ｐ１５、…、ＤＵＥ−Ｐ１０、ＣＵＥ  １１は同一の物理伝送リソースを多重化でき、ＣＵＥ１１を表に記入し、ｄ１−１２＞ｄＱ、ｄ２−１２＞ｄＱ、ｄ１５−１２＞ｄＱ、…、ｄ１０−１２＞ｄＱ且つＤ１２−１１＞ＤＱであると、ＤＵＥ−Ｐ１２を表に記入することにより、図１１に示すユーザー機器リストを得ることができる。
【００５４】
当該ユーザー機器リストの生成過程を繰り返すことで、複数のユーザー機器リストを得ることができ、そして、割当モジュール１０１３は、相応する利用可能な物理伝送リソースを、これらのユーザー機器リストにおけるユーザー機器に割当てる。図１２は、最終のリソース割当結果の一例を示し、同一の充填図形で、ユーザー機器と、割り当てられたリソースとの対応関係を代表し、例えば、空白のブロックはユーザー機器リスト１（即ち、図１１におけるユーザー機器リスト）におけるユーザー機器を代表し、それにリソース１が割り当てられ、これによって類推する。
【００５５】
なお、当該例において、ユーザー機器リストごとに多くとも一つのＣＵＥしかない。
【００５６】
距離に基づく判断を除き、一つ又は複数のスケジューリングユニット１０１は、また以下の方式を採用して複数のユーザー機器が同一の物理伝送リソースを多重化できるかどうかを判断することもでき、区分ユニット２０１が得た各領域を、領域のエッジから、対称に領域を一定程度だけ縮小して中心領域を取得し、当該領域の残りの部分をエッジ領域とし、二つのＤ２Ｄユーザー機器ペア又はＤ２Ｄユーザー機器ペアとハニカムユーザー機器とが二つの異なる領域に位置する場合に、その両者がいずれも各自の領域のエッジ領域にあると、これらの両者が互いに直交する物理伝送リソースを使用すると確定する。
【００５７】
例えば、図１３に示すように、ハッチングで充填された領域は、それぞれ、相応するクラスタの中心領域であり、充填されない領域は相応するクラスタのエッジ領域であり、中空の四角形はＤＵＥ−Ｐ１を代表し、中実の四角形はＤＵＥ−Ｐ２を代表し、斜線で充填された四角形はＤＵＥ−Ｐ３を代表し、点で充填された四角形はＤＵＥ−Ｐ４を代表し、ＤＵＥ−Ｐ１がクラスタ１の中心領域にあり、ＤＵＥ−Ｐ２がクラスタ１のエッジ領域にあり、ＤＵＥ−Ｐ３がクラスタ８のエッジ領域にあり、ＤＵＥ−Ｐ４がクラスタ８の中心領域にあることが分かり、上記一つ又は複数のスケジューリングユニット１０１の配置に応じて、ＤＵＥ−Ｐ１はＤＵＥ−Ｐ３、ＤＵＥ−Ｐ４と同一の物理伝送リソースを多重化でき、ＤＵＥ−Ｐ２はＤＵＥ−Ｐ４と同一の物理伝送リソースを多重化できるが、ＤＵＥ−Ｐ３と互いに直交する物理伝送リソースしか使用しない。
【００５８】
他の一例において、一つ又は複数のスケジューリングユニット１０１は、以下の方式を採用して複数のユーザー機器が同一の物理伝送リソースを多重化できるかどうかを判断してもよく、区分ユニット２０１が得た領域を区分して、基地局アンテナが所在の箇所を中心として、時計方向又は反時計方向に一定の角度を回転して、偽領域の区分を取得し、領域の区分に従って異なる領域に位置するユーザー機器は偽領域区分において同一の領域に属すると、これらのユーザー機器が互いに直交する物理伝送リソースを使用すると確定する。
【００５９】
図１４は、当該配置の概略的な例を示し、当該例において、時計方向に角度αを回転し、例えば、αがθ１の２分の１である。なお、ＤＵＥ−Ｐ１がクラスタ５に位置し、ＤＵＥ−Ｐ２がクラスタ１１に位置し、ＤＵＥ−Ｐ３がクラスタ６に位置し、ＤＵＥ−Ｐ４がクラスタ１２に位置し、回転された後に、ＤＵＥ−Ｐ１、ＤＵＥ−Ｐ３はいずれもクラスタ５’に位置し、ＤＵＥ−Ｐ２、ＤＵＥ−Ｐ４がいずれもクラスタ１１’に位置する。即ち、回転された後に、ＤＵＥ−Ｐ１、ＤＵＥ−Ｐ３は同一のクラスタに位置し、ＤＵＥ−Ｐ２、ＤＵＥ−Ｐ４は同一のクラスタに位置する。従って、上記一つ又は複数のスケジューリングユニット１０１の配置によれば、ＤＵＥ−Ｐ１、ＤＵＥ−Ｐ３のために互いに直交する物理伝送リソースを割当て、ＤＵＥ−Ｐ２、ＤＵＥ−Ｐ４のために互いに直交する物理伝送リソースを割当てるべきである。
【００６０】
なお、当該例において、回転は判別手段に過ぎなく、一つ又は複数のスケジューリングユニット１０１は、依然として回転の前に区分されたクラスタに従ってリソーススケジューリングを行う。
【００６１】
尚、区分ユニット２０１は、さらに、ビームフォーミングが行われている（例えば装置２００には複数のアンテナが配置されており、通信の干渉を低減させるために、ビームフォーミング伝送方案を採用する）場合に、同一のビーム／ローブカバーにあるユーザー機器を、一つのユーザー機器クラスタに区分されるように配置されてもよい。例えば、図１５に示すように、ＣＵＥ１、ＤＵＥ−Ｐ１、ＤＵＥ−Ｐ２は同一のビーム内にあり、クラスタ１に区分され、ＣＵＥ２、ＤＵＥ−Ｐ３は同一のビーム内にあり、クラスタ２に区分され、ＣＵＥ３、ＤＵＥ−Ｐ４は同一のビーム内にあり、クラスタ３に区分される。幾つかの具体的実施例において、装置２００は、Ｄ２Ｄユーザー機器ペアの分布状況に応じて、多アンテナに関する配置を確定／調整し、例えば、ユーザー機器に、特定の事前符号化行列を確定し、それに相応するビームカバー範囲内に位置させ、対応するクラスタリングとリソーススケジューリングとを行う。好ましくは、各アンテナビームはなるべく多いＤ２Ｄユーザー機器ペアをカバーする。ビームフォーミング伝送方案において、信号のエネルギーがそれぞれのビームに集中するので、ビームの間の伝送は干渉を引き起こさなく、本発明はこの利点を利用して、異なるビームカバー下のユーザー機器に同一の伝送リソースを割当てる。
【００６２】
他の一例として、区分ユニット２０１は、さらに、カバー範囲内の同一のユーザー機器から同期信号と制御シグナリングを受信する、カバー範囲以外に位置するユーザー機器と、カバー範囲内の当該ユーザー機器とを、一つのユーザー機器クラスタに区分するように配置されている。例えば、図１６に示すように、ＤＵＥ−Ｐ１、ＤＵＥ−Ｐ２、……、ＤＵＥ−Ｐ７、ＤＵＥ−Ｐ８はいずれもカバー範囲以外に位置し、その中、ＣＵＥ１、ＣＵＥ２、ＣＵＥ３はカバー範囲内にあり、ＤＵＥ−Ｐ１、ＤＵＥ−Ｐ２、ＤＵＥ−Ｐ３は、ＣＵＥ１から伝送する同期信号及び制御シグナリングを受信し、それをクラスタ１に区分し、ＤＵＥ−Ｐ４、ＤＵＥ−Ｐ５はＣＵＥ２から伝送する同期信号及び制御シグナリングを受信し、それをクラスタ２に区分して、ＤＵＥ−Ｐ６、ＤＵＥ−Ｐ７、ＤＵＥ−Ｐ８はＣＵＥ３から伝送同期信号及び制御シグナリングを受信し、それをクラスタ３に区分する。
【００６３】
幾つかの例において、装置１００と２００とは基地局として作動する。他の幾つかの例において、装置１００と２００とは、基地局における部品例えば処理チップなどとして作動してもよい。
【００６４】
＜第３の実施例＞
本願の一実施例によれば、基地局からの制御シグナリングを解析し当該装置のためのＤＰ−ＲＮＴＩを確定し、当該ＤＰ−ＲＮＴＩを使用して基地局からの物理下りリンク制御チャネルＰＤＣＣＨをブラインド検出し、当該装置のための下りリンク制御情報を検出し、基地局が当該装置にスケジューリングする物理伝送リソースを確定するように配置される。なお、当該物理伝送リソースは当該ユーザー機器と他の一つのユーザー機器とのＤ２Ｄ通信に用いられ、当該ユーザー機器は、基地局が管理する少なくとも一つの他のＤ２Ｄユーザー機器と当該ＤＰ−ＲＮＴＩを共用する一つ又は複数のプロセッサを含む通信システムにおけるユーザー機器側の装置をさらに提供する。
【００６５】
相応して、図１７は、当該装置の一つの具体的例の構成ブロック図を示し、図１７に示すように、装置３００は、基地局からの制御シグナリングを解析し当該装置のためのＤＰ−ＲＮＴＩを確定するように配置されているシグナリング解析ユニット３０１と、当該ＤＰ−ＲＮＴＩを使用して基地局からの物理下りリンク制御チャネルＰＤＣＣＨをブラインド検出して、当該装置のための下りリンク制御情報を検出し、基地局が当該装置にスケジューリングする物理伝送リソースを確定するように配置されている確定ユニット３０２とを含み、当該物理伝送リソースは当該ユーザー機器と他の一つのユーザー機器とのＤ２Ｄ通信のために用いられ、当該ユーザー機器は、基地局の管理している少なくとも一つの他のＤ２Ｄユーザー機器と当該ＤＰ−ＲＮＴＩを共用する。
【００６６】
例えば、当該ユーザー機器はＤ２Ｄユーザー機器であり、基地局がそれのために配置するＤＰ−ＲＮＴＩの指令を基地局から受信する。一例において、当該指令はＲＲＣシグナリングにより受信されてもよく、これにより、当該装置のためのＤＰ−ＲＮＴＩを確定することができる。例えば、Ｄ２Ｄユーザー機器は、基地局からのＲＲＣシグナリングを受信し、ＲＲＣ情報を解析しＤＰ−ＲＮＴＩを取得した後に、ＤＰ−ＲＮＴＩによりＰＤＣＣＨの探索空間において検出、デスクランブルを行ってＤＣＩを取得するとともに、リソーススケジューリング情報と他の情報を確定する。これらの情報に基づいて、ユーザー機器は、他のユーザー機器とＤ２Ｄ通信を行うことができる。
【００６７】
他の一例において、ユーザー機器は、ＭＡＣシグナリングを受信するＭＡＣ  ＣＥにより基地局が発行するＤＰ−ＲＮＴＩの指令を受信してもよく、言い換えれば、一種の新しいＭＡＣＣＥ、ＤＰ−ＲＮＴＩ  ＭＡＣ  ＣＥを定義してもよい。ユーザー機器はこの新しいＭＡＣ  ＣＥを解析することでそれに配置するＤＰ−ＲＮＴＩを取得し、次の操作は前記の例と同一であるので、ここで重複しない。
【００６８】
上記ＲＲＣとＭＡＣシグナリングの通知の方式は半静的であり、動的方式を採用してもよい。例えば、ユーザー機器は、ＰＤＣＣＨにより上記ＤＰ−ＲＮＴＩの指令を受信してもよく、例えば、基地局は、前回のＰＤＣＣＨにより、現在のユーザー機器に配置するＤＰ−ＲＮＴＩを発行してもよい。
【００６９】
また、ユーザー機器は、ブロードキャストを受信することで上記ＤＰ−ＲＮＴＩの指令を受信してもよく、なお、ブロードキャスト情報にはそれぞれのユーザー機器のＩＤと、対応するＤＰ−ＲＮＴＩとが含まれ、ユーザー機器はその中から自分のＩＤを探し出すことでそれに配置するＤＰ−ＲＮＴＩを取得する。
【００７０】
ユーザー機器の位置に所定の変化が発生した場合に、基地局は、それにＤＰ−ＲＮＴＩを新たに割当てることができる。例えば、ユーザー機器の位置変化が本来所在のユーザー機器クラスタに対応する地理的位置の領域を超えた場合に、基地局は、それにＤＰ−ＲＮＴＩを新たに配置し、上記各種の方式の一つにより発行され、ユーザー機器は当該新しいＤＰ−ＲＮＴＩを新たに取得する。その後、基地局は、当該新ＤＰ−ＲＮＴＩに応じてリソーススケジューリングを行う。
【００７１】
幾つかの例において、上記装置３００はユーザー機器として作動する。他の幾つかの例において、上記装置は、さらに、ユーザー機器における部品例えば処理チップなどとして作動してもよい。
【００７２】
＜第４の実施例＞
以上の実施形態で無線通信用の装置を記述する過程では、勿論、幾つかの処理又は方法をさらに開示している。以下で、上記で検討された幾つかの細部を重複しない場合にこれらの方法の概説を与えるが、注意すべきこと、これらの方法は無線通信用の装置を記述する過程で開示されたが、これらの方法は必ず記述されたそれらの部品を採用する必要がある、又は必ずそれらの部品により実行される必要がない。例えば、無線通信用の装置の実施形態は、一部又は完全にハードウェア及び／又はファームウェアを使用して実現されることが可能であり、これらの方法は電子機器のハードウェア及び／又はファームウェアを採用することが可能であるにもかかわらず、以下では検討する無線通信用の方法は、コンピュータが実行可能なプログラムにより完全に実現されることが可能である。
【００７３】
図１８は本出願の一実施例による、無線通信用の方法のフローチャートを示し、当該方法は、複数のユーザー機器の伝送ニーズに応じて、当該複数のユーザー機器の属しているユーザー機器クラスタに基づいて、当該複数のユーザー機器が同一の物理伝送リソースを多重化できるかどうかを判断する（Ｓ１４）と、判断結果により、当該複数のユーザー機器に、相応している物理伝送リソースをスケジューリングする（Ｓ１６）と、リソーススケジューリングに基づいて、リソーススケジューリング情報を含む下りリンク制御情報を、当該複数のユーザー機器に用いるように生成する（Ｓ１８）とを含み、ユーザー機器はＤ２Ｄユーザー機器ペアとハニカムユーザー機器とを含み、当該複数のユーザー機器は、地理的位置に基づいて、少なくとも一つのユーザー機器クラスタに予め区分される。
【００７４】
一例として、ステップＳ１４において、以下の原則に基づいて判断することができ、同一のクラスタにあるユーザー機器が互いに直交する物理伝送リソースを使用し、異なるクラスタにあるユーザー機器が同一の物理伝送リソースを多重化する。
【００７５】
なお、ステップＳ１６におけるリソーススケジューリングは物理リソースブロックの割当を含み、その中、複数のユーザー機器のうちの少なくとも一部のユーザー機器に同一の物理リソースブロックをスケジューリングし、そして、ステップＳ１８において、同一の物理リソースブロックを多重化するユーザー機器に対して同一の下りリンク制御情報を生成し同一の物理下りリンク制御チャネルＰＤＣＣＨリソースにマッピングする。
【００７６】
ステップＳ１８において、同一の物理リソースブロックを多重化するＤ２Ｄユーザー機器ペアに同一のＤＰ−ＲＮＴＩを配置し、当該ＤＰ−ＲＮＴＩを使用して下りリンク制御情報にスクランブルをかける。
【００７７】
ハニカムユーザー機器とＤ２Ｄユーザー機器ペアとがリソースブロックを多重化することが存在する場合に、ステップＳ１８において、ＤＰ−ＲＮＴＩを、当該ハニカムユーザー機器のＣ−ＲＮＴＩと同一となるように配置する。もちろん、互いに異なるように配置してもよく、第１の実施例において、それについて詳細な記述を提供し、ここで重複しない。
【００７８】
また、図１８の破線枠に示すように、一部のユーザー機器へ、当該ユーザー機器に配置するＤＰ−ＲＮＴＩの指令を送信するステップＳ２２をさらに含むこともできる。なお、ステップＳ１８において、相応するユーザー機器のための、当該ユーザー機器に配置するＤＰ−ＲＮＴＩの指令を含むＲＲＣシグナリングを生成することを含んでもよい。
【００７９】
他の一例において、上記方法は、複数のユーザー機器からの、物理伝送リソースを使用する要求を受信するステップＳ１２をさらに含む。当該要求の受信に応じて、後続のステップを実行する。そして、当該複数のユーザー機器へ下りリンク制御情報を送信するステップＳ２０をさらに含む。
【００８０】
図１９は、ステップＳ１４の一つの具体的例を示し、なお、ステップＳ１４は、それから前記要求を受信したユーザー機器通信を、優先度に従ってソートする（Ｓ１４２）と、同一の物理伝送リソースを多重化できるユーザー機器を示すそれぞれのユーザー機器リストを生成する（Ｓ１４４）とを含み、なお、ユーザー機器リストにおいて、ユーザー機器が記入される順序は前記優先度の順序に従う。
【００８１】
相応して、ステップＳ１６において、それぞれの利用可能な物理伝送リソースを、生成したそれぞれのユーザー機器リストにおけるユーザー機器にそれぞれ割当てる。
【００８２】
一例として、ステップＳ１４４を実行すると同時に、タイマーをさらに起動してもよく、当該タイマーは、利用可能な物理伝送リソースごとに設置され、且つ当該タイマーがオーバーフローした場合に、ステップＳ１４４の実行を停止させ、そしてステップＳ１６を実行して当該利用可能な物理伝送リソースを、当該相応するユーザー機器リストにおけるユーザー機器に割当てる。
【００８３】
なお、上記方法において、ユーザー機器にサービスする基地局アンテナのカバー範囲を、地理的位置に従って、若干の領域に区分し、領域ごとにおけるユーザー機器を一つのユーザー機器クラスタとしてもよい。当該ユーザー機器クラスタの区分については、予め実行され、且つ相対的に固定し、例えば初期化のみで行われてもよい。
【００８４】
一例として、ステップＳ１４において、二つのＤ２Ｄユーザー機器ペア又はＤ２Ｄユーザー機器ペアとハニカムユーザー機器とが二つの異なる領域に位置する場合に、さらに、当該二つのＤ２Ｄユーザー機器ペア間の距離又は当該Ｄ２Ｄユーザー機器ペアとハニカムユーザー機器との距離に基づいて、その両者が同一の物理伝送リソースを多重化できるかどうかを判断するという操作を実行する。例えば、当該距離が所定の閾値よりも大きい場合に、その両者が同一の物理伝送リソースを多重化できると判断し、逆に、多重化できない。
【００８５】
また、ステップＳ１４において、ビームフォーミングが存在している場合に、同一のビームカバーにあるユーザー機器を一つのユーザー機器クラスタに区分するという操作をさらに実行してもよい。
【００８６】
ステップＳ１４において、カバー範囲内の同一のユーザー機器から同期信号と制御シグナリングを受信する、カバー範囲以外に位置するユーザー機器と、カバー範囲内の当該ユーザー機器とを、一つのユーザー機器クラスタに区分するという操作をさらに実行してもよい。
【００８７】
図２０は、本出願の一実施例による、通信システムにおけるユーザー機器側の方法を示し、基地局からの制御シグナリングを解析して当該装置のためのＤＰ−ＲＮＴＩを確定する（Ｓ３１）と、当該ＤＰ−ＲＮＴＩを使用して基地局からの物理下りリンク制御チャネルＰＤＣＣＨをブラインド検出し、当該装置のための下りリンク制御情報を検出して基地局が当該装置にスケジューリングする物理伝送リソースを確定する（Ｓ３２）とを含み、当該物理伝送リソースは当該ユーザー機器と他の一つのユーザー機器とのＤ２Ｄ通信に用いられ、当該ユーザー機器は基地局管理する少なくとも一つの他のＤ２Ｄユーザー機器と当該ＤＰ−ＲＮＴＩを共用する。
【００８８】
注意すべきなのは、上記それぞれの方法は組み合わせ又は単独で使用されてもよく、その細部は第１〜第３の実施例に詳細に記述されたので、ここで重複しない。
【００８９】
以上で具体的実施例に基づいて本発明の基本的原理を記述したが、指摘すべきことは、当業者にとって、本発明の方法と装置の全部又は任意のステップ或いは部品について、任意の算出装置（プロセッサー、記憶媒体などを含む）又は算出装置のネットワークにおいて、ハードウェア、ファームウェア、ソフトウェア又はその組み合わせで実現することが理解され、これは、当業者が本発明の記述を読んだ場合にその基本的回路設計知識又は基本的プログラミング技能を利用して実現されるものである。
【００９０】
当業者は、上記に記載の装置のうち例えば一つ又は複数のスケジューリングユニット、シグナリング生成ユニット、区分ユニット、タイマー等などについては、一つ又は複数のプロセッサにより実現されることが可能であり、例えば、送受信ユニットは、アンテナ、フィルタ、モデム及びコーデックなどの回路素子により実現されることが可能であることが理解される。
【００９１】
従って、本発明は、複数のユーザー機器の伝送ニーズに応じて、当該複数のユーザー機器の属しているユーザー機器クラスタに基づいて、当該複数のユーザー機器が同一の物理伝送リソースを多重化できるかどうかを判断し、判断結果により、当該複数のユーザー機器のために相応している物理伝送リソースをスケジューリングし、リソーススケジューリングに基づいて、リソーススケジューリング情報を含む下りリンク制御情報を、当該複数のユーザー機器に用いるように生成するように配置されている回路を含み、ユーザー機器はＤ２Ｄユーザー機器ペアとハニカムユーザー機器とを含み、当該複数のユーザー機器は、地理的位置に基づいて、少なくとも一つのユーザー機器クラスタに予め区分される電子機器（１）をさらに提出する。
【００９２】
本発明は、基地局からの制御シグナリングを解析して当該電子機器のためのＤＰ−ＲＮＴＩを確定し、当該電子機器のための下りリンク制御情報を検出して基地局が当該電子機器にスケジューリングする物理伝送リソースを確定するように、当該ＤＰ−ＲＮＴＩを使用して基地局からの物理下りリンク制御チャネルＰＤＣＣＨをブラインド検出する、ように配置されている回路を含み、当該物理伝送リソースは当該電子機器と他の一つの電子機器とのＤ２Ｄ通信のために用いられ、当該電子機器は、基地局が管理する少なくとも一つの他のＤ２Ｄ電子機器と当該ＤＰ−ＲＮＴＩを共用する電子機器（２）をさらに提出する。
【００９３】
そして、本発明は、機器読み取り可能な指令コードが記憶されたプログラム製品をさらに提出する。上記指令コードが機器に読み取られて実行される場合に、上記の本発明の実施例による方法を実行できる。
【００９４】
これに対応して、上記の機器読み取り可能な指令コードが記憶されたプログラム製品がロードされたための記憶媒体も本発明の開示に含まれる。上記記憶媒体は、フロッピーディスク、光ディスク、光磁気ディスク、メモリカード、メモリスティックを含むが、これらに限定されない。
【００９５】
ソフトウェア或いはファームウェアで本発明を実現する場合、記憶媒体或いはネットワークから専用ハードウェア構造を有するコンピュータ（例えば図２１に示す汎用パーソナルコンピューター２１００）に当該ソフトウェアを構成するプログラムをインストールし、当該コンピュータは各種のプログラムがインストールされている場合、各種の機能等を実行できる。
【００９６】
図２１において、演算処理ユニット（ＣＰＵ）２１０１は、読取専用メモリ（ＲＯＭ）２１０２に記憶されているプログラム或いは記憶部２１０８からランダムアクセスメモリ（ＲＡＭ）２１０３にロードしたプログラムに基づいて各種の処理を実行する。ＲＡＭ１９０３にも、必要に応じてＣＰＵ２１０１が各種の処理等を実行する際に必要なデータが記憶される。ＣＰＵ２１０１、ＲＯＭ２１０２、ＲＡＭ２１０３はバス２１０４を介して互いに接続されている。入力／出力インタフェース２１０５もバス２１０４に接続されている。
【００９７】
入力部２１０６（キーボード、マウス等を含む）、出力部２１０７（ディスプレイ、例えば陰極線管（ＣＲＴ）、液晶ディスプレイ（ＬＣＤ）等、スピーカ等を含む）、記憶部２１０８（ハードディスク等を含む）、通信部２１０９（ネットワークインターフェースカード例えばＬＡＮカード、モデム等を含む）は入力／出力インタフェース２１０５に接続される。通信部２１０９は、ネットワーク、例えばインターネットを介して通信処理を実行する。必要に応じて、ドライバー２１１０も入力／出力インタフェース２１０５に接続される。リムーバブルメディア２１１１、例えばディスク、光ディスク、光磁気ディスク、半導体メモリ等は、必要に応じてドライバー２１１０に装着され、その中から読み出したコンピュータプログラムが必要に応じて記憶部２１０８にインストールされるようになる。
【００９８】
ソフトウェアで上記一連の処理を実現する場合、ネットワーク、例えばインターネット或いは記憶装置、例えばリムーバブルメディア２１１１からソフトウェアを構成するプログラムをインストールする。
【００９９】
当業者であれば、この種の記憶媒体は、図２１に示す、その中にプログラムが記憶される装置に別途配分してユーザーにプログラムを提供するリムーバブルメディア２１１１に限定されないことが理解される。リムーバブルメディア２１１１の例は、磁気ディスク（フロッピーディスク（登録商標））、光ディスク（光ディスク読取専用メモリ（ＣＤ−ＲＯＭ）とデジタル多用途ディスク（ＤＶＤ）を含む）、光磁気ディスク（ミニディスク（ＭＤ）（登録商標）を含む）、半導体メモリを含む。又は、記憶媒体は、ＲＯＭ２１０２、記憶部２１０８に含まれるハードディスク等であってもよく、その中にプログラムが記憶され、且つこれらを含む装置とともにユーザーに配分される。
【０１００】
本開示内容の技術は、各種の製品に応用できる。例えば、装置１００、２００は、任意のタイプの進化型ノードＢ（ｅＮＢ）、例えばマクロｅＮＢとスモールｅＮＢとして実現されることが可能である。スモールｅＮＢはマクロセルより小さいセルをカバーするｅＮＢ、例えばピコファラドｅＮＢ、マイクロｅＮＢ、ホーム（フェムト）ｅＮＢであってもよい。その代わりに、装置１００、２００は、任意の他のタイプの基地局、例えばＮｏｄｅＢとベーストランシーバ基地局（ＢＴＳ）として実現されることが可能である。装置１００、２００は、無線通信を制御するように配置される本体（基地局デバイスとも称する）と、本体と異なる箇所に設置される一つ又は複数のリモート無線ヘッド（ＲＲＨ）とを含んでもよい。また、以下記述する各種のタイプの端末は、基地局機能を一時又は半恒久的に実行することにより装置１００、２００として作動することができる。
【０１０１】
例えば、装置３００は、移動端末（例えばスマートフォン、タブレットパソコンコンピュータ（ＰＣ）、ノートＰＣ、携帯型ゲーム端末、携帯型／ウオッチドッグ型移動ルータとデジタル撮像装置、自動車）又は車載端末（例えば自動車ナビゲーション装置）として実現されることが可能である。装置３００は、マシンツーマシン（Ｍ２Ｍ）通信を実行する端末（マシン型通信（ＭＴＣ）端末とも称する）として実現されることも可能である。また、装置３００は、上記端末における端末ごとに取り付けられた無線通信モジュール（例えば単一のチップを含む集積回路モジュール）であってもよい。
【０１０２】
以下で、本開示の技術を応用するｅＮＢと、ユーザー機器との応用例を示す。
【０１０３】
［Ｉ．基地局についての応用例］
図２２は本開示の内容を応用できるｅＮＢの概略的配置の第１の例のブロック図を示す。ｅＮＢ８００は一つ又は複数のアンテナ８１０と基地局デバイス８２０を含む。基地局デバイス８２０と、各アンテナ８１０はＲＦケーブルを介して互いに接続され得る。
【０１０４】
アンテナ８１０の各々は、単一の又は複数のアンテナ素子（例えば、多入力多出力（ＭＩＭＯ）アンテナに含まれる複数のアンテナ素子）を含み、基地局デバイス８２０による無線信号の送受信のために用いられる。ｅＮＢ８００は、図２２に示すように複数のアンテナ８１０を含んでもよい。複数のアンテナ８１０は、例えばｅＮＢ８００が使用する複数の周波数帯域に共用してもよい。なお、図２２にはｅＮＢ８００が複数のアンテナ８１０を含む例を示したが、ｅＮＢ８００は単一のアンテナ８１０を含んでもよい。
【０１０５】
基地局デバイス８２０は、コントローラ８２１、メモリ８２２、ネットワークインタフェース８２３、及び無線通信インタフェース８２５を含む。
【０１０６】
コントローラ８２１は、例えばＣＰＵ又はＤＳＰであってよく、基地局デバイス８２０の上位レイヤの様々な機能を操作する。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理、無線ベアラ制御、移動性管理、流入制御、及びスケジューリングのような制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、伝送電力データ及びスケジューリングデータなど）を記憶する。
【０１０７】
ネットワークインタフェース８２３は基地局デバイス８２０をコアネットワーク８２４に接続するための通信インタフェースである。コントローラ８２１はネットワークインタフェース８２３を介してコアネットワークノード又は他のｅＮＢと通信してもよい。この場合、ｅＮＢ８００とコアネットワークノード又は他のｅＮＢとはロジックインタフェース（例えばＳ１インタフェースとＸ２インタフェース）により互いに接続される。ネットワークインタフェース８２３は有線通信インタフェース、又は無線バックホールのための無線通信インタフェースであってもよい。ネットワークインタフェース８２３が無線通信インタフェースであると、ネットワークインタフェース８２３は無線通信インタフェース８２５により使用される周波数帯域よりも高い周波数帯域を無線通信に使用してもよい。
【０１０８】
無線通信インタフェース８２５は、いずれかのセルラー通信方式（例えば、ＬＴＥ（Ｌｏｎｇ  Ｔｅｒｍ  Ｅｖｏｌｕｔｉｏｎ）、ＬＴＥ−Ａｄｖａｎｃｅｄ）をサポートし、アンテナ８１０を介して、ｅＮＢ８００のセル内に位置する端末までの無線接続を提供する。無線通信インタフェース８２５は、一般、ベースバンド（ＢＢ）プロセッサ８２６及びＲＦ回路８２７を含んでもよい。ＢＢプロセッサ８２６は、例えば、符号化／復号化、変調／復調及び多重化／逆多重化を実行してもよく、レイヤ（例えばＬ１、媒体アクセス制御（ＭＡＣ）、無線リンク制御（ＲＬＣ）、パケットデータ収束プロトコル（ＰＤＣＰ））のさまざまな信号処理を実行する。コントローラ８２１の代わりに、ＢＢプロセッサ８２６は上記ロジック機能の一部又は全部を有してもよい。ＢＢプロセッサ８２６は通信制御プログラムを記憶するメモリであってもよく、又はプログラムを実行するように配置されるプロセッサ及び関連する回路を含むモジュールであってもよい。ＢＢプロセッサ８２６の機能はプログラムの更新により変更可能であってもよい。当該モジュールは基地局デバイス８２０のスロットに挿入されるカード若しくはブレードであってもよい。代わりに、当該モジュールはカード若しくはブレードに搭載されるチップであってもよい。一方、ＲＦ回路８２７は例えばミキサ、フィルタ及びアンプを含んでもよく、アンテナ８１０を介して無線信号を送受信する。
【０１０９】
図２２に示すように、無線通信インタフェース８２５は複数のＢＢプロセッサ８２６を含んでもよい。例えば、複数のＢＢプロセッサ８２６はｅＮＢ８００が使用する複数の周波数帯域に共用されてもよい。図２２に示すように、無線通信インタフェース８２５は複数のＲＦ回路８２７を含んでもよい。例えば、複数のＲＦ回路８２７は複数のアンテナ素子に共用される。図２２は無線通信インタフェース８２５に複数のＢＢプロセッサ８２６と複数のＲＦ回路８２７とを含む例を示したが、無線通信インタフェース８２５は単一のＢＢプロセッサ８２６又は単一のＲＦ回路８２７を含んでもよい。
【０１１０】
図２２に示すｅＮＢ８００とｅＮＢ８３０とにおいて、図１と図８を使用して記述された送受信ユニットは、無線通信インタフェース８２５及び無線通信インタフェース８５５及び／又は無線通信インタフェース８６３により実現されてもよい。機能の少なくとも一部はコントローラ８２１とコントローラ８５１により実現されてもよい。例えば、コントローラ８２１とコントローラ８２５は、一つ又は複数のスケジューリングユニットの機能を実行することで、ユーザー機器が属するユーザー機器クラスタに基づいて物理伝送リソースのスケジューリングを行う操作を実行してもよく、コントローラ８２１とコントローラ８２５は、シグナリング生成ユニットの機能を実行することで、下りリンク制御情報を生成する操作を実行してもよく、コントローラ８２１とコントローラ８２５は、区分ユニットの機能を実行することで、ユーザー機器クラスタの区分の操作を実行してもよく、コントローラ８２１とコントローラ８２５は、さらに、タイマーの機能を実行することで、物理伝送リソースブロックの割当のタイミングを制御する操作を実行してもよい。
【０１１１】
［ＩＩ．ユーザー機器についての応用例］
図２３は、本開示の内容の技術を応用できるスマートフォン９００の概略的な構成の一例を示すブロック図である。スマートフォン９００は、プロセッサ９０１、メモリ９０２、記憶装置９０３、外部接続インタフェース９０４、撮像装置９０６、センサ９０７、マイクロフォン９０８、入力装置９０９、表示装置９１０、スピーカ９１１、無線通信インタフェース９１２、一つ又は複数のアンテナスイッチ９１５、一つ又は複数のアンテナ９１６、バス９１７、バッテリー９１８、及び補助コントローラ９１９を含む。
【０１１２】
プロセッサ９０１は例えばＣＰＵ又はＳｏＣ（Ｓｙｓｔｅｍ  ｏｎ  Ｃｈｉｐ）であってもよく、スマートフォン９００のアプリケーションレイヤ及びその他のレイヤの機能を制御する。メモリ９０２はＲＡＭとＲＯＭを含み、データと、プロセッサ９０１により実行されるプログラムを記憶する。記憶装置９０３は記憶媒体、例えば半導体メモリ又はハードディスクを含んでもよい。外部接続インタフェース９０４は、外部装置（例えばメモリカード又はＵＳＢ（Ｕｎｉｖｅｒｓａｌ  Ｓｅｒｉａｌ  Ｂｕｓ）デバイス）をスマートフォン９００に接続するためのインタフェースである。
【０１１３】
撮像装置９０６が画像センサ（例えばＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ））を含み、撮像画像を生成する。センサ９０７は例えば、測定センサ、ジャイロセンサ、地磁気センサ及び加速度センサなどのセンサ群を含んでもよい。マイクロフォン９０８はスマートフォン９００に入力される音声を音声信号に変換する。入力装置９０９は例えば表示装置９１０のスクリーン上のタッチを検出するように配置されるタッチセンサ、キーパッド、キーボード、ボタン又はスイッチを含み、ユーザーから入力される操作又は情報を受信する。表示装置９１０はスクリーン（例えば液晶ディスプレイ（ＬＣＤ）、有機発光ダイオード（ＯＬＥＤ）ディスプレイ）を含み、スマートフォン９００の出力画像を表示する。スピーカ９１１はスマートフォン９００から出力される音声信号を音声に変換する。
【０１１４】
無線通信インタフェース９１２はいずれかのセルラー通信方式（例えばＬＴＥ、ＬＴＥ−Ａｄｖａｎｃｅｄ）をサポートし、無線通信を実行する。無線通信インタフェース９１２は、一般に、例えばＢＢプロセッサ９１３とＲＦ回路９１４とを含んでもよい。ＢＢプロセッサ９１３は例えば符号化／復号化、変調／復調及び多重化／逆多重化を実行してもよく、無線通信用の様々な信号処理を実行する。一方、ＲＦ回路９１４は例えばミキサ、フィルタ及びアンプを含んでもよく、アンテナ９１６を介して無線信号を送受信する。無線通信インタフェース９１２はＢＢプロセッサ９１３とＲＦ回路９１４を集積したワンチップのモジュールであってもよい。図２３に示すように、無線通信インタフェース９１２は複数のＢＢプロセッサ９１３と複数のＲＦ回路９１４を含んでもよい。図２３は無線通信インタフェース９１２が複数のＢＢプロセッサ９１３と複数のＲＦ回路９１４を含む例を示したが、無線通信インタフェース９１２は単一のＢＢプロセッサ９１３又は単一のＲＦ回路９１４を含んでもよい。
【０１１５】
また、セルラー通信方式を除き、無線通信インタフェース９１２は他の種類の無線通信方式、例えば近距離無線通信方式、近接無線通信方式又は無線ＬＡＮ（Ｌｏｃａｌ  Ａｒｅａ  Ｎｅｔｗｏｒｋ）方案をサポートしてもよく。この場合、無線通信インタフェース９１２は無線通信方式ごとのＢＢプロセッサ９１３とＲＦ回路９１４を含んでもよい。
【０１１６】
アンテナスイッチ９１５の各々は、無線通信インタフェース９１２に含まれる複数の回路（例えば、異なる無線通信方式のための回路）の間でアンテナ９１６の接続先を切り替える。
【０１１７】
アンテナ９１６の各々は単一の又は複数のアンテナ素子（例えば、ＭＩＭＯアンテナに含まれる複数のアンテナ素子）を含み、無線通信インタフェース９１２によるによる無線信号の送受信のために用いられる。図２３に示すように、スマートフォン９００は複数のアンテナ９１６を含んでもよい。図２３はスマートフォン９００が複数のアンテナ９１６を含む例を示したが、スマートフォン９００は単一のアンテナ９１６を含んでもよい。
【０１１８】
また、スマートフォン９００は無線通信方式ごとにアンテナ９１６を含んでもよい。この場合、アンテナスイッチ９１５はスマートフォン９００の構成から省略されてもよい。
【０１１９】
バス９１７は、プロセッサ９０１、メモリ９０２、記憶装置９０３、外部接続インタフェース９０４、撮像装置９０６、センサ９０７、マイクロフォン９０８、入力装置９０９、表示装置９１０、スピーカ９１１、無線通信インタフェース９１２及び補助コントローラ９１９を互いに接続する。バッテリー９１８は図中に破線で部分的に示した支線を介して図２３に示すスマートフォン９００の各ブロックに電力を供給する。補助コントローラ９１９は例えば、スリープモードにおいて、スマートフォン９００の必要最低限の機能を動作させる。
【０１２０】
図２３に示すスマートフォンにおいて、プロセッサ９０１又は補助コントローラ９１９は、シグナリング解析ユニットの機能を実行することで、制御シグナリングを解析してＤＰ−ＲＮＴＩを確定する操作を実行してもよく、プロセッサ９０１又は補助コントローラ９１９は、確定ユニットの機能を実行することで下りリンク制御情報を検出し、ユーザー機器にスケジューリングする物理伝送リソースを確定する操作を実行してもよい。
【０１２１】
指摘すべきことは、本発明の装置、方法及びシステムにおいて、各部品又は各ステップは分割及び／又は再組み合わせをすることが可能である。これらの分割及び／又は再組み合わせは本発明の等価方案と見なすべきである。そして、上記一連の処理を実行するステップは、説明の順で時間順に従って実行されることがあるが、必ず時間順に従う必要がない。あるステップは並行又は独立に実行されることが可能である。
【０１２２】
最後、なお、用語の「含む」、「含まれる」又はその任意の変化は、非排他的包含を含むことを意味することにより、一連の要素を含むプロセス、方法、物品又はデバイスはその要素を含むだけでなく、明確に挙げない他の要素を含むか、又はこのようなプロセス、方法、物品又はデバイスが固有する要素をさらに含む。また。より多く制限されない場合に、語句「一つ…を含む」が限定する要素は、上記要素を含むプロセス、方法、物品又はデバイスにおいて他の同一の要素を含むことを排除しない。
【０１２３】
以上で図面を参考して本発明の実施例を詳細に記述したが、以上で記述された実施形態は、本発明を説明するためのものであり、限定ではない。当業者にとって、上記実施形態について、各種の修正、変更を行い得るが、本発明の本質と範囲から逸脱しない。従って、本発明の範囲は特許請求の範囲及び均等な意味のみに限定される。
【図１】
2018510571.tif 000003
【図２】
2018510571.tif 000004
【図３】
2018510571.tif 000005
【図４】
2018510571.tif 000006
【図５】
2018510571.tif 000007
【図６】
2018510571.tif 000008
【図７】
2018510571.tif 000009
【図８】
2018510571.tif 000010
【図９】
2018510571.tif 000011
【図１０】
2018510571.tif 000012
【図１１】
2018510571.tif 000013
【図１２】
2018510571.tif 000014
【図１３】
2018510571.tif 000015
【図１４】
2018510571.tif 000016
【図１５】
2018510571.tif 000017
【図１６】
2018510571.tif 000018
【図１７】
2018510571.tif 000019
【図１８】
2018510571.tif 000020
【図１９】
2018510571.tif 000021
【図２０】
2018510571.tif 000022
【図２１】
2018510571.tif 000023
【図２２】
2018510571.tif 000024
【図２３】
2018510571.tif 000025
【手続補正書】
【提出日】平成29年10月3日(2017.10.3)
【手続補正１】
【補正対象書類名】特許請求の範囲
【補正対象項目名】全文
【補正方法】変更
【補正の内容】
【特許請求の範囲】
【請求項１】
無線通信用の装置であって、
前記装置の管理している複数のユーザー機器の伝送ニーズに応じて、前記複数のユーザー機器の属しているユーザー機器クラスタに基づいて、前記複数のユーザー機器が同一の物理伝送リソースを多重化できるかどうかを判断し、判断結果により、前記複数のユーザー機器のために相応している物理伝送リソースをスケジューリングするように配置されている一つ又は複数のスケジューリングユニットと、
前記一つ又は複数のスケジューリングユニットによるリソーススケジューリングに基づいて、リソーススケジューリング情報を含む下りリンク制御情報を、前記複数のユーザー機器に用いるように生成するように配置されているシグナリング生成ユニットとを含み、
前記ユーザー機器がＤ２Ｄユーザー機器ペアとハニカムユーザー機器とを含み、前記複数のユーザー機器が、地理的位置に基づいて少なくとも一つのユーザー機器クラスタに予め割り当てられている、無線通信用の装置。
【請求項２】
前記リソーススケジューリングは物理リソースブロックの割当を含み、
前記一つ又は複数のスケジューリングユニットは、前記複数のユーザー機器のうち少なくとも一部のユーザー機器のために同一の物理リソースブロックをスケジューリングし、前記シグナリング生成ユニットは、さらに、同一の物理リソースブロックを多重化するユーザー機器のために同一の下りリンク制御情報を生成し同一の物理下りリンク制御チャネルＰＤＣＣＨリソースにマッピングするように配置されている請求項１に記載の装置。
【請求項３】
前記シグナリング生成ユニットは、さらに、同一の物理リソースブロックを多重化するＤ２Ｄユーザー機器ペアのために同一のＤＰ−ＲＮＴＩを配置し、前記ＤＰ−ＲＮＴＩを使用して前記下りリンク制御情報にスクランブルをかけるように配置されている請求項２に記載の装置。
【請求項４】
ハニカムユーザー機器とＤ２Ｄユーザー機器ペアとがリソースブロックを多重化する場合に、前記シグナリング生成ユニットは、当該ハニカムユーザー機器のＣ−ＲＮＴＩと同一になるように前記ＤＰ−ＲＮＴＩを配置する請求項３に記載の装置。
【請求項５】
前記ユーザー機器の一部へ当該ユーザー機器のために配置されるＤＰ−ＲＮＴＩの指令を送信するように配置されている送受信ユニットをさらに含む請求項３に記載の装置。
【請求項６】
前記シグナリング生成ユニットは、さらに、相応しているユーザー機器用の、当該ユーザー機器のために配置されるＤＰ−ＲＮＴＩの指令を含むＲＲＣシグナリングを生成するように配置されている請求項５に記載の装置。
【請求項７】
前記ユーザー機器にサービスしている基地局アンテナのカバー範囲を、地理的位置に応じて複数の領域に区分し、それぞれの領域におけるユーザー機器を一つのユーザー機器クラスタとするように配置されている区分ユニットをさらに含む請求項１に記載の装置。
【請求項８】
前記一つ又は複数のスケジューリングユニットは、さらに、
二つのＤ２Ｄユーザー機器ペア又はＤ２Ｄユーザー機器ペアとハニカムユーザー機器とが、二つの異なる領域に位置している場合に、さらに当該二つのＤ２Ｄユーザー機器ペア間の距離又はＤ２Ｄユーザー機器ペアとハニカムユーザー機器との距離に基づいて、その両者が同一の物理伝送リソースを多重化できるかどうかを判断するように配置されている請求項７に記載の装置。
【請求項９】
前記区分ユニットは、ビームフォーミングが行われている場合に、同一のビームカバーにおけるユーザー機器を一つのユーザー機器クラスタに区分するように配置されている請求項７に記載の装置。
【請求項１０】
前記区分ユニットは、前記カバー範囲内の同一のユーザー機器から同期信号及び制御シグナリングを受信する、前記カバー範囲以外に位置しているユーザー機器と、前記カバー範囲内の当該ユーザー機器とを、一つのユーザー機器クラスタに区分するように配置されている請求項７に記載の装置。
【請求項１１】
前記複数のユーザー機器からの物理伝送リソースの使用要求を受信し、前記複数のユーザー機器へ前記下りリンク制御情報を送信するように配置されている送受信ユニットをさらに含む請求項１に記載の装置。
【請求項１２】
前記一つ又は複数のスケジューリングユニットは、
前記要求を受信したユーザー機器を、通信優先度に従ってソートするように配置されているソートモジュールと、
同一の物理伝送リソースを多重化できるユーザー機器を示す各ユーザー機器リストを生成するように配置されているユーザー機器リスト生成モジュールと、
利用可能な物理伝送リソースのそれぞれを、生成された各ユーザー機器リストにおけるユーザー機器にそれぞれ割当てるように配置されている割当モジュールとを含み、
ユーザー機器リストにおいて、ユーザー機器が記入される順序は前記優先度の順序に従う請求項１１に記載の装置。
【請求項１３】
前記一つ又は複数のスケジューリングユニットは、さらに、
利用可能な物理伝送リソースごとに設置されるタイマーを含み、前記タイマーがオーバーフローすると、前記ユーザー機器リスト生成モジュールが、相応しているユーザー機器リストの生成を停止させ、前記割当モジュールが当該利用可能な物理伝送リソースを当該相応しているユーザー機器リストにおけるユーザー機器に割当てる請求項１２に記載の装置。
【請求項１４】
無線通信用の方法であって、
複数のユーザー機器の伝送ニーズに応じて、前記複数のユーザー機器の属しているユーザー機器クラスタに基づいて、前記複数のユーザー機器が同一の物理伝送リソースを多重化できるかどうかを判断し、
判断結果により、前記複数のユーザー機器のために相応している物理伝送リソースをスケジューリングし、
リソーススケジューリングに基づいて、リソーススケジューリング情報を含む下りリンク制御情報を、前記複数のユーザー機器に用いるように生成することを含み、
前記ユーザー機器はＤ２Ｄユーザー機器ペアとハニカムユーザー機器とを含み、前記複数のユーザー機器は、地理的位置に基づいて少なくとも一つのユーザー機器クラスタに予め区分される方法。
【請求項１５】
通信システムにおけるユーザー機器側の装置であって、
基地局からの制御シグナリングを解析して前記装置用のＤＰ−ＲＮＴＩを確定し、
前記装置用の下りリンク制御情報を検出して前記基地局が当該装置のためにスケジューリングする物理伝送リソースを確定するように、前記ＤＰ−ＲＮＴＩを使用して前記基地局からの物理下りリンク制御チャネルＰＤＣＣＨをブラインド検出する、
ように配置される一つ又は複数のプロセッサを含み、
前記物理伝送リソースは、前記ユーザー機器と他の一つのユーザー機器とのＤ２Ｄ通信に用いられ、前記ユーザー機器は、前記基地局の管理している少なくとも一つの他のＤ２Ｄユーザー機器と前記ＤＰ−ＲＮＴＩを共用する、装置。
【国際調査報告】
2018510571.tif 000026
2018510571.tif 000027
2018510571.tif 000028
2018510571.tif 000029